(57)【要約】【課題】電力量を正確に測定することができる空気調和機を提供すること。【解決手段】本発明の空気調和機は、交流電源から直流電源に変換する整流回路と、モータ負荷を駆動するインバータと、チョッピング素子と昇圧用整流回路からなる昇圧回路と、交流電流の電流値を測定する電流センサと、昇圧回路のチョッピング素子の半周期に対するチョッピング回数をカウントするチョッピング回数検出手段と、電流センサで検出する電流値とチョッピング回数から力率を選択し出力する回数別力率テーブル記憶手段とを備え、回数別力率テーブル記憶手段から出力される力率を用いて電力量を算出する。【選択図】図１
2012235568.tif 000002
【特許請求の範囲】
【請求項１】
交流電源から直流電源に変換する整流回路と、モータ負荷を駆動するインバータと、チョッピング素子と昇圧用整流回路からなる昇圧回路と、交流電流の電流値を測定する電流センサと、前記昇圧回路のチョッピング素子の半周期に対するチョッピング回数をカウントするチョッピング回数検出手段と、前記電流センサで検出する電流値と前記チョッピング回数から力率を選択し出力する回数別力率テーブル記憶手段とを備え、前記回数別力率テーブル記憶手段から出力される力率を用いて電力量を算出することを特徴とする空気調和機。
【請求項２】
前記回数別力率テーブル記憶手段は、複数のテーブルを有し、前記チョッピング回数に応じて、複数のテーブルから最適なテーブルを選択することを特徴とする請求項１に記載の空気調和機。
【請求項３】
前記チョッピング回数に応じて算出される回数対応係数記憶手段を備え、前記回数別力率テーブル記憶手段は、標準のテーブルを一つで構成され、前記標準のテーブルによって算出された力率に、前記回数対応係数記憶手段で算出される係数を掛けて前記力率を補正することを特徴とする請求項１に記載の空気調和機。
【請求項４】
外気温度を検出する外気温度検出手段を備え、前記外気温度検出手段で検出される外気温度に応じて外気温度補正係数を算出し、請求項１から３のいずれかで算出される電力量に、さらに前記外気温度補正係数を掛けて電力量を算出することを特徴とする空気調和機。
【発明の詳細な説明】
【技術分野】
【０００１】
本発明は、専用部品を追加せずに精度良く電力量を検出できる空気調和機に関する。
【背景技術】
【０００２】
交流電源から直流電源に変換する整流回路と共に、モータ負荷を駆動するインバータを有する空気調和気であって、電源電圧と入力電流との積に力率を乗じて算出する際、入力電流のみのデータに基づいて力率を決定する空気調和機は考案されている（例えば、特許文献１参照）。
【先行技術文献】
【特許文献】
【０００３】
【特許文献１】特開２００３−１６６７４８号公報
【発明の概要】
【発明が解決しようとする課題】
【０００４】
しかしながら、前記従来の構成では、電力量の測定は可能であるものの、昇圧回路のチョッピング回数によっては電流波形が変動してしまい、入力負荷電流が同値であっても力率値が変動するので、電流と電圧と力率の積で求められる電力量と、正しい電力量とに差がついてしまうという課題を有していた。
【０００５】
本発明は、前記従来の課題を解決するもので、電力量を正確に測定することができる空気調和機を提供することを目的とする。
【課題を解決するための手段】
【０００６】
前記従来の課題を解決するために、本発明の空気調和機は、交流電源から直流電源に変換する整流回路と、モータ負荷を駆動するインバータと、チョッピング素子と昇圧用整流回路からなる昇圧回路と、交流電流の電流値を測定する電流センサと、昇圧回路のチョッピング素子の半周期に対するチョッピング回数をカウントするチョッピング回数検出手段と、電流センサで検出する電流値とチョッピング回数から力率を選択し出力する回数別力率テーブル記憶手段とを備え、回数別力率テーブル記憶手段から出力される力率を用いて電力量を算出することにより、最適な力率を用いて電力量を算出することができるため、精度の高い電力量を得ることができる。
【発明の効果】
【０００７】
本発明は、電力量を正確に測定することができる空気調和機を提供することができる。
【図面の簡単な説明】
【０００８】
【図１】本発明の実施の形態１における空気調和機のブロック図
【図２】本発明の実施の形態２における空気調和機のブロック図
【図３】本発明の実施の形態３における空気調和機のブロック図
【図４】同実施の形態３における空気調和機のブロック図
【発明を実施するための形態】
【０００９】
第１の発明の空気調和機は、交流電源から直流電源に変換する整流回路と、モータ負荷を駆動するインバータと、チョッピング素子と昇圧用整流回路からなる昇圧回路と、交流電流の電流値を測定する電流センサと、昇圧回路のチョッピング素子の半周期に対するチョッピング回数をカウントするチョッピング回数検出手段と、電流センサで検出する電流
値とチョッピング回数から力率を選択し出力する回数別力率テーブル記憶手段とを備え、回数別力率テーブル記憶手段から出力される力率を用いて電力量を算出することにより、最適な力率を用いて電力量を算出することができるため、精度の高い電力量を得ることができる。
【００１０】
第２の発明の空気調和機は、特に第１の発明において、回数別力率テーブル記憶手段は、複数のテーブルを有し、チョッピング回数に応じて、複数のテーブルから最適なテーブルを選択することにより、より正確な電力量を算出することができる。
【００１１】
第３の発明の空気調和機は、特に第１の発明において、チョッピング回数に応じて算出される回数対応係数記憶手段を備え、回数別力率テーブル記憶手段は、標準のテーブルを一つで構成され、標準のテーブルによって算出された力率に、回数対応係数記憶手段で算出される係数を掛けて力率を補正することにより、複数のテーブルを持たずに正確な力率を算出することができるので、データ量を増やすことなく正確な電力量を得ることができる。
【００１２】
第４の発明の空気調和機は、さらに、外気温度を検出する外気温度検出手段を備え、外気温度検出手段で検出される外気温度に応じて補正係数を算出し、第１から第３の発明で算出される電力量に、さらに補正係数を掛けて電力量を算出することにより、さらに精度の高い電力量を得ることができる。
【００１３】
以下、本発明の実施の形態について、図面を参照しながら説明する。なお、この実施の形態によって本発明が限定されるものではない。
【００１４】
（実施の形態１）
図１は、本発明の実施の形態１における空気調和機のブロック図を示すものである。
【００１５】
図１に示すように、交流電源１５から直流電源に変換する整流回路３と、モータ５を駆動するインバータ４と、チョッピング素子７と昇圧用整流回路６からなる昇圧回路２と、交流電流の電流値を測定する電流センサ１と、電流センサ１の測定値を検知する電流検出手段８と、昇圧回路２のチョッピング素子７の半周期に対するチョッピング回数をカウントするチョッピング回数検出手段１０と、電流検出手段８からの電流値とチョッピング回数検出手段１０からのチョッピング回数から回数別力率テーブルを選択し、力率を出力する力率テーブル記憶手段と、あらかじめ設定された電圧値を出力する電圧値記憶手段と、電圧検出手段から出力された電圧値と力率テーブル記憶手段から出力された力率によって電力量を算出する電力量算出手段で構成されている。
【００１６】
以上のように構成された空気調和機について、以下、その動作、作用を説明する。
【００１７】
まず、モータ５を駆動するインバータ４を要する空気調和機は、能力を改善するために整流電圧を昇圧させる。そのため、ＭＯＳＦＥＴ等で代表されるチョッピング素子７をＯＮＯＦＦさせているが、そのＯＮＯＦＦの回数により電流波形が変動し、同じ負荷電流においても力率が変動する。
【００１８】
基本となる５０Ｈｚもしくは６０Ｈｚで標準環境での力率データだけでは、負荷電流に対する正確な力率の値が算出できない。そのため、昇圧させるためのチョッピング回数をカウントするチョッピング回数検出手段１０からカウントされた回数よりあらかじめ規定された回数（例えば、１、〜５、〜３０、〜２００、〜１０００回）を複数に分けておき、その複数に分けた領域に応じた力率を、回数別力率テーブル記憶手段１３から出力する。これにより、負荷電流に係わらず、最適な力率の値で電力量を算出することができる。
【００１９】
（実施の形態２）
図２は、本発明の実施の形態２における空気調和機のブロック図を示すものである。
【００２０】
図２において、回数別力率テーブル記憶手段は、一つの標準的な力率テーブルを出力する標準力率テーブル記憶手段１６で構成され、さらに、チョッピング回数に応じてチョッピング回数別係数を算出する回数別係数記憶手段１４を備えている。
【００２１】
以上のように構成された空気調和機について、以下その動作、作用を説明する。
【００２２】
まず、実施の形態１のように回数別力率テーブル記憶手段では、チョッピング回数別に複数のテーブルが必要になるためＲＯＭデータ量が膨大になるデメリットがあるが、実施の形態２においては標準的な力率テーブルのみを有する構成となっている。
【００２３】
よって、チョッピング回数に基づいて、回数別係数記憶手段１４から予め記憶されているチョッピング回数別係数を算出する。このチョッピング回数別係数は、例えば、チョッピング回数が１であれば０．８５、チョッピング回数が５までであれば：０．８８、以降、チョッピング回数が〜３０：０．９３、チョッピング回数が〜２００：０．９５、チョッピング回数が〜１０００：０．９９というように、チョッピング回数に応じて係数を持っている。
【００２４】
そして、標準力率テーブル記憶手段によって算出される力率に、回数対応係数記憶手段１４によって算出されるチョッピング回数別係数を掛け合わせて、最適な力率の値を出力することができる。
【００２５】
これによって、負荷電流に関わらず、最適な力率の値を算出することができるので、正確な電力量を得ることができる。
【００２６】
（実施の形態３）
図３、図４は、本発明の実施の形態３における空気調和機のブロック図である。実施の形態１および実施の形態２と異なる箇所は、外気温度を検出する外気温度検出手段である外気温度センサ１７と、外気温度センサ１７で検出される外気温度から外気温度補正係数を算出する補正係数算出手段１８を備えたことである。
【００２７】
図３は、実施の形態１に外気温度センサ１７を備えた構成であり、図４は、実施の形態２に外気温度センサ１７を備えた構成である。なお、上記の異なる点以外については、実施の形態１および実施の形態２と同じであるため、その説明は省略する。
【００２８】
本実施の形態では、外気温度によって、負荷となる圧縮機およびリアクタ等温度特性による特性値が変動し、力率に影響与えるためばらつきが発生することに対応するものである。
【００２９】
すなわち、このばらつきを補正するため、予め外気温度と補正係数のテーブルを記憶した補正係数算出手段１８によって外気温度補正係数を算出し、回数別力率テーブル記憶手段で算出された力率に掛け合わせて、外気温度を考慮した力率を算出するようにしている。
【００３０】
このように構成することによって、外気温度に応じた正確な力率を算出することができるため、より正確な電力量を得ることができる。
【産業上の利用可能性】
【００３１】
以上のように、本発明にかかる空気調和機は、安価で精度の高い電力量を算出することが出来るため、電気代の積算等の用途に応用できる。
【符号の説明】
【００３２】
１  電流センサ
２  昇圧回路
３  整流回路
４  インバータ
６  昇圧用整流回路
７  チョッピング素子
８  電流検出手段
１０  チョッピング回数検出手段
１３  回数別力率テーブル記憶手段
【図１】
2012235568.tif 000003
【図２】
2012235568.tif 000004
【図３】
2012235568.tif 000005
【図４】
2012235568.tif 000006